(57)【特許請求の範囲】
【請求項１】
上面に開口を設けた給湯トレイと、
下面に開口部を設け、前記開口部から前記給湯トレイを収納できるトレイ収納部と、
洗浄液を洗浄ケーシングに供給する給湯ポンプと、
前記トレイ収納部の天面から下向きに突出し、前記給湯ポンプと連通した洗浄液吸込口と、を備え、
前記トレイ収納部は、前記開口部から排水トレイを収納でき、
前記洗浄ケーシングに設けられ、前記洗浄ケーシング内の洗浄液を前記排水トレイに排出する排水口と、
前記排水口に設けられ、前記洗浄ケーシング内の洗浄液の貯水と排水を切り替える開閉弁と、
前記洗浄液吸込口に近接した位置に設けられ、下向きに突出した水位検知手段と、を備え、
前記水位検知手段は、
洗浄液による浮力で上下動するフロートと、
前記フロートを保持するフロート保持部と、
前記フロートによりオンオフが切り替わるリードスイッチと、を備え、
前記リードスイッチは、前記フロート保持部の内部に設けられたことを特徴とする洗浄機能付きレンジフード。
【請求項２】
洗浄液の水位不足を検知したときは洗浄を開始できないようにしたことを特徴とする請求項１に記載の洗浄機能付きレンジフード。
【請求項３】
洗浄液の水位不足を検知したときは水位不足の表示をすることを特徴とする請求項１または２に記載の洗浄機能付きレンジフード。
【請求項４】
前記洗浄液吸込口と前記水位検知手段を一体化したことを特徴とする請求項１に記載の洗浄機能付きレンジフード。
【発明の詳細な説明】
【技術分野】
【０００１】
本発明は、洗浄液で油捕集部を洗浄する洗浄機能付きレンジフードに関する。
【背景技術】
【０００２】
従来、この種のレンジフードとして、洗浄液を貯水する貯水槽を設け、その貯水槽にフィルターを浸漬させて洗浄するものが知られている。（例えば、特許文献１参照）。
【０００３】
以下、そのレンジフードについて、図６および図７を参照しながら説明する。
【０００４】
図６および図７に示すように、レンジフード１０１は調理機器１０２の上部に取り付けられ、レンジフード１０１内部の排気ファンモーター１０９は調理機器１０２の使用時に発生した油煙を整流板１０３から吸込口１７７と通風路１７８とフィルター１０５を介して吸い込み、吐出口１０６から屋外へ排出する。フィルター１０５は油煙の通風路に取り付けられ、油煙に含まれる油や埃を取り除く。またフィルター１０５は円盤構造でフィルター１０５中心には回転軸１１０が設けられ、モーター１２０によって回転自在な構成とされている。またフィルター１０５の下部には洗浄槽１０４が設けられており、フィルター１０５の回転軸から下半面を非接触で覆う形状で構成される。
【０００５】
図７に示す操作スイッチ１０８に用意された洗浄スイッチ１１４を押すと、貯水ポンプ１０７が貯水槽１１２内の洗浄液の吸い上げを開始する。洗浄槽１０４では貯水ポンプ１０７から供給される洗浄液を槽内に貯め込みフィルター１０５を浸漬する。
【０００６】
洗浄槽１０４の側面にはレーザー光を発信するレーザー発信器１２１、レーザー受信器１１５が取り付けられており、洗浄液の液面を検知することにより、水位を検出する。
【０００７】
フィルター洗浄を行なう洗浄槽１０４に洗浄液を供給する際は、洗浄液を所定の水位で検出した後は洗浄液の供給を停止し、フィルター１０５の洗浄を行なう。また水位が押し上がった場合は排水弁１７９にて排水し液面制御を行う。これにより、液漏れがなくかつ効果的にフィルター洗浄を行なうことができる。
【先行技術文献】
【特許文献】
【０００８】
【特許文献１】特開２００８−１７５５０１号公報
【発明の概要】
【発明が解決しようとする課題】
【０００９】
このような従来のレンジフードでは、洗浄槽の水位を検知するため、洗浄動作後に水位の不足を判別することになり、その場合は再度、貯水槽に洗浄液を供給しなければならず、再洗浄するまでに多くの時間を要するという課題があった。
【００１０】
また、洗浄動作後、汚れた洗浄液で満たされる洗浄槽内に水位検知部を設けるため、安価なフロートセンサー等の機構を用いることと信頼性の確保が困難となり、高価なレーザー光検知等の非接触式の検知が必要となるという課題があった。
【００１１】
本発明は、このような従来の課題を解決するものであり、洗浄動作をする前に水位不足を判別するため、再洗浄するまでに多くの時間を要することがなく、安価な方法で、洗浄液の水位を検知することができる洗浄機能付きレンジフードを提供することを目的としている。
【課題を解決するための手段】
【００１２】
本発明の一態様に係るレンジフードは上記目的を達成するために、上面に開口を設けた給湯トレイと、下面に開口部を設け、前記開口部から前記給湯トレイを収納できるトレイ収納部と、洗浄水を洗浄ケーシングに供給する給湯ポンプと、前記トレイ収納部の天面から下向きに突出し、前記給湯ポンプと連通した洗浄液吸込口と、を備え、前記トレイ収納部は、前記開口部から排水トレイを収納でき、前記洗浄ケーシングに設けられ、前記洗浄ケーシング内の洗浄液を前記排水トレイに排出する排水口と、前記排水口に設けられ、前記洗浄ケーシング内の洗浄液の貯水と排水を切り替える開閉弁と、前記洗浄液吸込口に近接した位置に設けられ、下向きに突出した水位検知手段と、を備え、前記水位検知手段は、洗浄液による浮力で上下動するフロートと、前記フロートを保持するフロート保持部と、前記フロートによりオンオフが切り替わるリードスイッチと、を備え、前記リードスイッチは、前記フロート保持部の内部に設けられたものである。
【００１３】
この手段により、洗浄液の水位不足の場合に、再洗浄するまでに多くの時間を要することのない洗浄機能付きレンジフードが得られる。
【００１４】
また、他の手段は、洗浄液の水位不足を検知したときは洗浄を開始できないようにしたものである。
【００１５】
この手段により、洗浄液の水位不足の場合に洗浄を開始してしまうことを防ぐことができる洗浄機能付きレンジフードが得られる。
【００１６】
また、他の手段は、洗浄液の水位不足を検知したときは水位不足の表示をするようにしたものである。
【００１７】
この手段により、洗浄液の補充が必要であることを使用者に知らせることができる洗浄機能付きレンジフードが得られる。
【００１８】
また、他の手段は、水位検知手段を洗浄液による浮力で上下動するフロートセンサーとしたものである。
【００１９】
この手段により、高価な部品を使用することなく、簡単な構造かつ低コストで水位不足を検知できる洗浄機能付きレンジフードが得られる。
【００２０】
また、他の手段は、洗浄液吸込口と水位検知手段を一体化したものである。
【００２１】
この手段により、給湯トレイを給湯トレイ収納部にセットする際、給湯トレイの洗浄液がこぼれにくい洗浄機能付きレンジフードが得られる。
【発明の効果】
【００２２】
本発明によれば、洗浄前に給湯トレイを取り付けた段階で水位不足を検知でき、再洗浄するまでに多くの時間を要することのない洗浄機能付きレンジフードを提供できる。また、給湯トレイ天面に洗浄液吸込口と水位検知手段を差し込むための開口を大きくする必要がなく、給湯トレイをトレイ収納部にセットする際、給湯トレイに入れた洗浄液がこぼれにくい洗浄機能付きレンジフードを提供できる。
【００２３】
また、洗浄液の水位不足を検知したときは洗浄を開始できないようにしたことにより、洗浄液の水位不足の場合に洗浄を開始してしまうことを防ぐことができる洗浄機能付きレンジフードを提供できる。
【００２４】
また、洗浄液の水位不足を検知したときは水位不足の表示をするようにしたことにより、洗浄液の補充が必要であることを使用者に知らせることができる洗浄機能付きレンジフードを提供できる。
【００２５】
また、水位検知手段は洗浄液による浮力で上下動するフロートセンサーとしたことにより、簡単な構造かつ低コストで水位不足を検知でき、フィルター洗浄不足を防ぐことができる洗浄機能付きレンジフードを提供できる。
【００２６】
また、洗浄液吸込口と水位検知手段を一体化したことにより、給湯トレイ天面に洗浄液吸込口と水位検知手段を差し込むための開口をさらに小さくでき、給湯トレイを給湯トレイ収納部にセットする際、給湯トレイに入れた洗浄液がさらにこぼれにくい洗浄機能付きレンジフードを提供できる。
【図面の簡単な説明】
【００２７】
【図１】本発明の実施の形態１のレンジフードの正面から見た断面図
【図２】同レンジフードの側面断面図
【図３】同レンジフードの図１のフロート保持部の周辺の部分拡大図
【図４】同レンジフードの羽根車の斜視図
【図５】本発明の実施の形態２のフロート保持部の周辺の部分拡大図
【図６】従来のレンジフードを示す側面図
【図７】同レンジフードを示す斜視図
【発明を実施するための形態】
【００３３】
以下、本発明の実施の形態について図面を参照しながら説明する。
【００３４】
（実施の形態１）
図１から図３に示すように、本実施の形態のレンジフードは、調理器具（図示せず）の上方に、調理器具から発生する油煙や周囲に浮遊する埃等を捕集する使用者側に吸気口１を設けた例えば方形状のフード２の後方を壁面３にねじで固定させて設置し、フード２の天面には屋外とダクト４を介して連通する排気口５を設け、フード２の内部には電動機６と、電動機６の回転軸７に取り付けた羽根車８と、羽根車８を包括した洗浄ケーシング９を配設し、この羽根車８を介して吸気口１と排気口５とを結ぶ通風路１０を形成している。
【００３５】
また、フード２の吸気口１には例えば平板状の整流板１１が配設され、整流板１１の周囲の吸込風速を高めている。
【００３６】
なお、電動機６はＡＣでもＤＣでも良いが、好ましくはＤＣが良く、理由は羽根車８の回転を制御しやすいからである。
【００３７】
また、羽根車８の詳しい説明は後述しているが、種類としては遠心ファンであるシロッコファンが好ましく、圧力がかせげるからである。
【００３８】
洗浄ケーシング９の下方には、箱状で下面が開口したトレイ収納部１２を設け、トレイ収納部１２の内部には、羽根車８を洗浄するための洗浄液１３を貯水する給湯トレイ１４と、羽根車８の洗浄後の排水を受ける排水トレイ１５が隔壁を介して着脱可能で収納できるようになっている。
【００３９】
給湯トレイ１４と排水トレイ１５の天面にはそれぞれ中央に給水口１６と排水受口１７が開いている給湯トレイフタ１８と排水トレイフタ１９を取り付けてあり、給湯トレイ１４と排水トレイ１５から洗浄液１３がこぼれないようタッパのような密閉性を保っている。
【００４０】
また、トレイ収納部１２の天面には、パイプ状の洗浄液吸込口２０が下向きに突出し、給湯トレイ１４をトレイ収納部１２に収納した状態で、洗浄液吸込口２０は、下端が給湯トレイ１４の底面に近接するようになっている。
【００４１】
近接するとは、３ｍｍ程度で、洗浄液１３の洗浄液吸込口２０からの吸い込みを阻害されることなく、給湯トレイ１４に残る洗浄液１３の量を少なくすることができる。
【００４２】
洗浄液吸込口２０の上端は給湯ポンプ２１のポンプ吸込口２２に接続され、給湯ポンプ２１のポンプ吐出口２３は、チューブ２４を介して洗浄ケーシング９に接続される。
【００４３】
そして、洗浄液吸込口２０のすぐ隣には、磁力によりオン・オフするリードスイッチ２５を内部に入れた円柱状のフロート保持部２６が下向きに突出し、フロート保持部２６外周に、ドーナツ状のフロート２７を上下に可動するように取り付けてある。
【００４４】
また、フロート２７の内周には磁石２８が埋め込まれており、フロート２７が上昇するとリードスイッチ２５がオンし、下降するとリードスイッチ２５がオフになるような位置関係となっている。
【００４５】
また、フロート２７は、洗浄液１３の密度より小さい材料であり、給湯トレイ１４に入れる洗浄液１３による浮力で上昇する。
【００４６】
そして、洗浄ケーシング９の下端部には排水口２９を設けて、排水口２９には洗浄ケーシング９内の洗浄液１３を貯排する開閉弁３０を設け、開閉弁３０の下方に排水トレイフタ１９の排水受口１７が位置するように設けている。
【００４７】
そして、給湯トレイフタ１８の給水口１６の大きさは、給湯トレイ１４をトレイ収納部１２にセットする際、洗浄液吸込口２０とフロート２７が通り抜ける大きさで極力小さくする。
【００４８】
そして、排水トレイフタ１９の排水受口１７の大きさは、開閉弁３０からの洗浄液１３の排水が通り抜ける大きさで極力小さくする。
【００４９】
図４に示すように、羽根車８は、複数のブレード３１で構成され、羽根車８内部には、リング状の油捕集部３２を、一定距離を離して、複数枚取り付けている。調理で油煙が発生しているときに電動機６を作動させると、羽根車８が回転し、油煙や埃を含んだ空気が吸気口１から吸い込まれ、通風路１０を通って羽根車８内を通過する際、油や埃がリング状の油捕集部３２に衝突して捕集され、それらが除去された空気が洗浄ケーシング９内を通った後、排気口５、ダクト４を通って屋外に排出される。これを繰り返すと、羽根車８の油捕集部３２、ブレード３１に油や埃が蓄積されていき、目詰まりを発生させ、排出風量の低下を招くこととなる。
【００５０】
排出風量の低下を防ぐため、油捕集部３２、ブレード３１の洗浄が行なうが、まず、給湯トレイ１４に規定量の洗浄液１３を入れ、トレイ収納部１２にセットする。
【００５１】
そして、排水トレイ１５は洗浄液１３が空の状態でトレイ収納部１２にセットする。
【００５２】
そして、洗浄液１３による浮力でフロート２７が上昇し、磁石２８の磁力により、リードスイッチ２５がオンとなる。
【００５３】
次に、フード２の正面の洗浄スイッチ３３を押すと、制御部３４からの動作指示により、開閉弁３０を閉じ、給湯ポンプ２１により給湯トレイ１４内の洗浄液１３を汲み上げ、チューブ２４を通って洗浄ケーシング９内に供給され、貯水される。
【００５４】
そして、同時に電動機６を作動させると、羽根車８のブレード３１、油捕集部３２が洗浄液１３に浸漬され、洗浄されることとなる。
【００５５】
そして、一定時間（例えば１０分程度）の洗浄を行なったあと、開閉弁３０を開いて、洗浄液１３を排水トレイ１５に排出する。
【００５６】
以上が通常の洗浄動作である。
【００５７】
一方、給湯トレイ１４に入れる洗浄液１３が規定量より少なかった場合には、フロート２７が、リードスイッチ２５をオンにする位置まで上昇せず、その場合には、洗浄スイッチ３３を押した場合でも、洗浄を開始しないよう、制御部３４にプログラムを入力しておく。
【００５８】
また、その場合には洗浄スイッチ３３付近に設けたＬＥＤ３５を点灯や点滅させ、水位不足であることを使用者に知らせる。
【００５９】
上記構成において、給湯トレイ１４に洗浄液１３を入れ、トレイ収納部１２を取り付けた段階で水位不足を検知し、洗浄開始できないようにしたことにより、洗浄スイッチ３３を押して洗浄動作が始まってから水位不足で洗浄が中断することがない。
【００６０】
また、洗浄液吸込口２０とフロート保持部２６を近接した位置に設けたため、給湯トレイフタ１８の給水口１６を小さくでき、給湯トレイ１４をトレイ収納部１２にセットする際、給湯トレイ１４に入れた洗浄液１３をこぼれにくくすることができる。
【００６１】
また、洗浄液１３による浮力で上下動するフロート２７で水位を検知できるようにしたことにより、簡単な構造かつ低コストで水位不足を検知できる。
【００６２】
また、洗浄液１３の水位不足の場合に、ＬＥＤ３５を点灯や点滅させ、水位不足であることを使用者に知らせることにより、使用者に洗浄液１３の補充が必要であることを知らせることができる。
【００６３】
（実施の形態２）
図５において実施の形態１と異なるところは、洗浄液吸込口２０とフロート保持部２６を一体化し、その周囲にフロート２７を取り付けたことである。
【００６４】
上記構成により、給湯トレイフタ１８の給水口１６をさらに小さくすることができ、給湯トレイ１４に洗浄液１３を入れ、トレイ収納部１２にセットする際、さらに洗浄液１３をこぼれにくくすることができる。
【産業上の利用可能性】
【００６５】
本発明は、洗浄機能のついたレンジフードの洗浄液の水位検知をするものであり、同様の機能が必要な換気装置にも有用である。
【符号の説明】
【００６６】
１    吸気口
２    フード
３    壁面
４    ダクト
５    排気口
６    電動機
７    回転軸
８    羽根車
９    洗浄ケーシング
１０  通風路
１１  整流板
１２  トレイ収納部
１３  洗浄液
１４  給湯トレイ
１５  排水トレイ
１６  給水口
１７  排水受口
１８  給湯トレイフタ
１９  排水トレイフタ
２０  洗浄液吸込口
２１  給湯ポンプ
２２  ポンプ吸込口
２３  ポンプ吐出口
２４  チューブ
２５  リードスイッチ
２６  フロート保持部
２７  フロート
２８  磁石
２９  排水口
３０  開閉弁
３１  ブレード
３２  油捕集部
３３  洗浄スイッチ
３４  制御部
３５  ＬＥＤ
【図１】
0006322802.tif 000002
【図２】
0006322802.tif 000003
【図３】
0006322802.tif 000004
【図４】
0006322802.tif 000005
【図５】
0006322802.tif 000006
【図６】
0006322802.tif 000007
【図７】
0006322802.tif 000008